(57)【要約】【課題】発光体を保護するためのカバー部材を備えた携帯型照明装置において、照度の低下を極力防止する。【解決手段】正面部発光面３Ａを備えた発光体３と、一次曲面状に形成された凹面５Ａが正面部発光面３Ａと対向し、一次曲面の上に存在する直線Ｌが正面部発光面３Ａに対して平行に延伸している状態よりも僅かに斜めに傾くように延伸した状態で設けられているカバー部材５と、発光体５から出射された光Ｌ７のうちでカバー部材５で反射された光Ｌ９を、カバー部材５に向けて反射する反射面１１を有する。【選択図】図２
2008293739.tif 000002
【特許請求の範囲】
【請求項１】
正面部発光面を備えた発光体と；
透明な部材で構成され、一次曲面状に形成された凹面が前記正面部発光面と対向し、前記一次曲面の上に存在する直線が前記正面部発光面に対して平行に延伸している状態よりも僅かに斜めに傾くように延伸した状態で設けられているカバー部材と；
前記発光体から出射された光のうちで前記カバー部材を透過せずに前記カバー部材で反射された光を、前記カバー部材に向けて反射する第１の反射面を有することを特徴とする携帯型照明装置。
【請求項２】
請求項１に記載の携帯型照明装置において、
凹状の第２の反射面を有し、
前記発光体は、前記正面部発光面の外周から前記カバー部材から離れる側に起立している側面部発光面を備えており、前記側面部発光面から出射された光が前記カバー部材に向けて反射されるようにするために、前記発光体は、前記凹状の第２の反射面の内側に設けられていることを特徴とする携帯型照明装置。
【請求項３】
請求項１または請求項２に記載の携帯型照明装置において、
前記カバー部材の一次曲面上の直線の延伸方向の一方の側に位置し、前記発光体から出射された光を前記カバー部材に向けて反射する第３の反射面と；
前記カバー部材の一次曲面上の直線の延伸方向の他方の側に位置し、前記発光体から出射された光を前記カバー部材に向けて反射する第４の反射面と；
を有することを特徴とする携帯型照明装置。
【請求項４】
筐体と；
前記筐体に一体的に設けられた矩形な平面状の第１の反射面と、
円錐台の側面の形状で凹状に形成され、奥側に向かうにしたがって内径が徐々に小さくなるようにして設けられ、また、前記第１の反射面の幅方向の中央部で前記第１の反射面の長手方向に所定の間隔を開けて並んで前記第１の反射面に一体的に設けられた複数の第２の反射面と、
球面の一部を用いて凸状に形成され、前記第１の反射面の長手方向の一端部側で前記第１の反射面から起立して設けられた第３の反射面と、
球面の一部を用いて凸状に形成され、前記第１の反射面の長手方向の他端部側で前記第１の反射面から起立して設けられた第４の反射面とを備えて前記筐体に一体的に設けられた反射部材と；
前記第２の凹状の反射面の最も奥側に存在する円の内側に入る外形で平面状に形成された正面部発光面とこの正面部発光面の外周から凹状の前記２の反射面の深さよりも短い距離だけ起立している側面部発光面とを備えて前記筐体に一体的に設けられ、前記正面部発光面が前記第１の反射面と平行であると共に前記正面部発光面が前記第２の反射面の内側に入るようにして、前記第２の各反射面のそれぞれに設けられた複数の発光体と；
透明な部材で構成され、内径が前記第１の反射面の幅寸法とほぼ等しい円筒状に形成され、もしくは、内径が前記第１の反射面の幅寸法とほぼ等しい円筒をこの円筒の中心軸を含む平面で２等分した形状である半円筒状に形成され、前記第１の反射面と前記第３の反射面と前記第４の反射面と協働して半円柱状の空間が形成されるように、また、前記円筒の母線が前記正面部発光面に対して平行に延伸している状態よりも僅かに斜めに傾くように延伸した状態で、前記筐体に一体的に設けられたカバー部材と；
を有することを特徴とする携帯型照明装置。
【請求項５】
平面状の発光面を備えた発光体と；
透明な部材で平板状に構成され、厚さ方向の各面が前記平面状の発光面に対して平行になっている状態よりも僅かに斜めに傾いた状態で設けられているカバー部材と；
前記発光体から出射された光のうちで前記カバー部材を透過せずに前記カバー部材で反射された光を、前記カバー部材に向けて反射する反射面を有することを特徴とする携帯型照明装置。
を有することを特徴とする携帯型照明装置。
【発明の詳細な説明】
【技術分野】
【０００１】
本発明は、携帯型照明装置に係り、特に、ＬＥＤ等の発光体を用いた照明装置に関する。
【背景技術】
【０００２】
従来、携帯型照明装置として豆電球を用いた懐中電灯が知られているが、懐中電灯は乾電池の消耗が早いという欠点があるので、近年においては、豆電球の代わりにＬＥＤ等の消費電力の少ない発光体を用いたものが採用される傾向にある。
【０００３】
これらのＬＥＤ等を用いた携帯型照明装置は、一点を集中的に照らすものと１点を中心に照明範囲をたとえば円形状に広げたものとに大別される。
【０００４】
なお、上述した携帯型照明装置に関連する特許文献として、たとえば特許文献１、特許文献２を掲げることができる。
【特許文献１】特開２００６−８０００３号公報
【特許文献２】特開２００６−２８６６１５号公報
【発明の開示】
【発明が解決しようとする課題】
【０００５】
ところで、上記従来のＬＥＤ等を用いた携帯型照明装置では、発光体を保護するためにガラスやポリカーボネイト等の透明体で構成されたカバー部材を備えているが、このカバー部材の表面が、光を最も強く発生する発光体の主平面に対して平行になっている。したがって、発光体から出射された光のうちでカバー部材によって反射された光がカバー部材内部で乱反射され、カバー部材の外側に出射される光の強度が低下し、照明装置の照度が低下するという問題がある。
【０００６】
本発明は、前記問題点に鑑みてなされたものであり、発光体を保護するためのカバー部材を備えた携帯型照明装置において、照度の低下を極力防止することができるものを提供することを目的とする。
【課題を解決するための手段】
【０００７】
請求項１に記載の発明は、正面部発光面を備えた発光体と、透明な部材で構成され、一次曲面状に形成された凹面が前記正面部発光面と対向し、前記一次曲面の上に存在する直線が前記正面部発光面に対して平行に延伸している状態よりも僅かに斜めに傾くように延伸した状態で設けられているカバー部材と、前記発光体から出射された光のうちで前記カバー部材を透過せずに前記カバー部材で反射された光を、前記カバー部材に向けて反射する第１の反射面を有する携帯型照明装置である。
【０００８】
請求項２に記載の発明は、請求項１に記載の携帯型照明装置において、凹状の第２の反射面を有し、前記発光体は、前記正面部発光面の外周から前記カバー部材から離れる側に起立している側面部発光面を備えており、前記側面部発光面から出射された光が前記カバー部材に向けて反射されるようにするために、前記発光体は、前記凹状の第２の反射面の内側に設けられている携帯型照明装置である。
【０００９】
請求項３に記載の発明は、請求項１または請求項２に記載の携帯型照明装置において、前記カバー部材の一次曲面上の直線の延伸方向の一方の側に位置し、前記発光体から出射された光を前記カバー部材に向けて反射する第３の反射面と、前記カバー部材の一次曲面上の直線の延伸方向の他方の側に位置し、前記発光体から出射された光を前記カバー部材に向けて反射する第４の反射面とを有する携帯型照明装置である。
【００１０】
請求項４に記載の発明は、筐体と、前記筐体に一体的に設けられた矩形な平面状の第１の反射面と、円錐台の側面の形状で凹状に形成され、奥側に向かうにしたがって内径が徐々に小さくなるようにして設けられ、また、前記第１の反射面の幅方向の中央部で前記第１の反射面の長手方向に所定の間隔を開けて並んで前記第１の反射面に一体的に設けられた複数の第２の反射面と、球面の一部を用いて凸状に形成され、前記第１の反射面の長手方向の一端部側で前記第１の反射面から起立して設けられた第３の反射面と、球面の一部を用いて凸状に形成され、前記第１の反射面の長手方向の他端部側で前記第１の反射面から起立して設けられた第４の反射面とを備えて前記筐体に一体的に設けられた反射部材と、前記第２の凹状の反射面の最も奥側に存在する円の内側に入る外形で平面状に形成された正面部発光面とこの正面部発光面の外周から凹状の前記２の反射面の深さよりも短い距離だけ起立している側面部発光面とを備えて前記筐体に一体的に設けられ、前記正面部発光面が前記第１の反射面と平行であると共に前記正面部発光面が前記第２の反射面の内側に入るようにして、前記第２の各反射面のそれぞれに設けられた複数の発光体と、透明な部材で構成され、内径が前記第１の反射面の幅寸法とほぼ等しい円筒状に形成され、もしくは、内径が前記第１の反射面の幅寸法とほぼ等しい円筒をこの円筒の中心軸を含む平面で２等分した形状である半円筒状に形成され、前記第１の反射面と前記第３の反射面と前記第４の反射面と協働して半円柱状の空間が形成されるように、また、前記円筒の母線が前記正面部発光面に対して平行に延伸している状態よりも僅かに斜めに傾くように延伸した状態で、前記筐体に一体的に設けられたカバー部材とを有する携帯型照明装置である。
【００１１】
請求項５に記載の発明は、平面状の発光面を備えた発光体と、透明な部材で平板状に構成され、厚さ方向の各面が前記平面状の発光面に対して平行になっている状態よりも僅かに斜めに傾いた状態で設けられているカバー部材と、前記発光体から出射された光のうちで前記カバー部材を透過せずに前記カバー部材で反射された光を、前記カバー部材に向けて反射する反射面を有する携帯型照明装置である。
【発明の効果】
【００１２】
本発明によれば、発光体を保護するためのカバー部材を備えた携帯型照明装置において、照度の低下を極力防止することができるという効果を奏する。
【発明を実施するための最良の形態】
【００１３】
図１は、本発明の実施形態に係る携帯型照明装置１の概略構成を示す斜視図であり、図２は、図１におけるＩＩ−ＩＩ断面を示す図であり、図３は、図１におけるＩＩＩ−ＩＩＩ断面を示す図である。
【００１４】
図４は、図１におけるＩＶ矢視を示す図であり、図５は、図２におけるＶ部の拡大図であり、図６は、図５におけるＶＩ部の拡大図である。
【００１５】
なお、本件明細書においては、説明の便宜上、上下方向、前後方向、左右方向を示してあるが、携帯型照明装置１の使用に際しては、図１等に示す上下方向を左右方向や斜めな方向にする等、携帯型照明装置１の姿勢を変えてもよい。
【００１６】
携帯型照明装置１は、たとえば白色のＬＥＤ素子や有機ＥＬ素子のごとき発光体３と、発光体３をカバーしているカバー部材５と、反射部材７とを備えて構成されている。発光体３とカバー部材５と反射部材７とは、携帯型照明装置１の筐体９に一体的に設けられている。
【００１７】
発光体３は、たとえば平面状に形成された正面部発光面３Ａと側面部発光面３Ｂとを備えている。側面部発光面３Ｂは、正面部発光面３Ａの外周から起立している。なお、発光体３は、樹脂等のレンズ部材では覆われていないものである。
【００１８】
カバー部材５は、ポリカーボネイトやガラスのごとき、発光体３が発した光を透過するたとえば無色透明な部材で構成されている。また、カバー部材５は、所定の厚さを備えて平板状に形成された素材を、この厚さと直交する所定の一方向で曲げて変形することによって、厚さ方向の各面５Ａ、５Ｂが一次曲面状に形成されている。すなわち、たとえば、厚さ方向の各面５Ａ、５Ｂが円柱側面状や楕円柱の側面状に形成されている。
【００１９】
そして、カバー部材５は、各面５Ａ、５Ｂのうちの凹面５Ａが発光体３の平面状の正面部発光面３Ａと対向するようにして（凹面５Ａが正面部発光面３Ａ側に位置し凸面５Ｂが携帯型照明装置１の外面になるようにして）、筐体９に設けられている。また、カバー部材５は、前記一次曲面の上に存在する直線が、平面状の正面部発光面３Ａに対して平行に延伸している状態よりも僅かに斜めに傾くように延伸した状態で筐体９に設けられている。たとえば、凹面５Ａが円柱側面状に形成されている場合にあっては凹面５Ａの母線Ｌが正面部発光面３Ａに対して数度の角度（たとえば２°程度の角度）で交差するようにして筐体９に設けられている（図５参照）。
【００２０】
反射部材７には、反射面１１（第１の反射面）が形成されており、反射面１１は、発光体３から出射された光Ｌ７のうちでカバー部材５を透過せずにカバー部材５で反射された光Ｌ９を、カバー部材５に向けて反射するようになっている。換言すれば、発光体３が出射した光Ｌ７の一部は、カバー部材５の凹面５Ａで反射されて反射面１１に向かい、反射面１１に向かった光Ｌ９が反射面１１で反射されカバー部材５に再び向かうようになっている。なお、反射面１１で反射されカバー部材５に再び向かった光Ｌ１１は、カバー部材５を透過して携帯型照明装置１に出射されるようになっている（図９参照）。
【００２１】
また、反射部材７には、凸状の反射面１３（第３の反射面）と凸状の反射面１５（第４の反射面）と凹状の反射面１７が形成されている。反射面１３は、カバー部材５の一次曲面上の直線の延伸方向の一方の側（図１等の上側）に位置しており、発光体３から出射された光をカバー部材５に向けて反射するようになっている。反射面１５は、カバー部材５の一次曲面上の直線の延伸方向の他方の側（図１等の下側）に位置しており、発光体３から出射された光をカバー部材５に向けて反射するようになっている（図５、図８等参照）。
【００２２】
反射面１７（第２の反射面）は、発光体３の側面部発光面３Ｂから出射された光を、カバー部材５に向けて反射するために設けられている。側面部発光面３Ｂは、正面部発光面３Ａに対してカバー部材５から離れる側（図５や図６の右方向）に起立している。また、側面部発光面３Ｂから出射された光がカバー部材５に向けて反射されるようにするために、発光体３は、凹状の反射面１７の内側に設けられている。
【００２３】
携帯型照明装置１についてさらに詳しく説明する。
【００２４】
反射面１１は、矩形な平面状に形成されている。反射面１１の長手方向が図１等の上下方向になっており、反射面１１の幅方向が図１等の左右方向になっている。反射面１１は、幅方向の寸法よりも長手方向の寸法の方が大きく描かれているが、長手方向の寸法よりも幅方向の寸法を大きくしてもよい。
【００２５】
反射面１７は、円錐台の側面の形状で凹状に形成されている（反射面１１とつながって反射面１１よりも凹んで設けられている；反射面１１に対してカバー部材５から離れる側に設けられている）。また、反射面１７は、奥側に向かうにしたがって（反射面１１から離れるにしたがって）内径が徐々に小さくなるようにして設けられている。さらに、反射面１７は、複数設けられており、反射面１１の幅方向の中央部で反射面１１の長手方向に所定の間隔を開けて並んで設けられている。
【００２６】
反射面１３は、球面の一部を用いて凸状に形成され、反射面１１の長手方向の一端部側（図１等の上側）で反射面１１から、反射面１７とは反対側（カバー部材５側）に起立し、図１等の下方で凸になるように設けられている。反射面１３は、反射面１１の近傍では、反射面１１に対して直角に近い角度で起立しているが、反射面１１から離れるにしたがって斜めに傾いている。
【００２７】
反射面１５は、反射面１３と同形状に形成され、反射面１１の長手方向の他端部側（図１等の下側）で反射面１１から起立して設けられている。なお、反射面１５は、図１等の上下方向において、反射面１１の中心に対してほぼ対称になっている。
【００２８】
また、反射面１１の長手方向（図１等の上下方向）から見ると、反射面１３、１５は、反射面１１の幅寸法と直径がほぼ等しい半円状に形成されており、直径に相当する部位が反射面１１に接続されている（図３参照）。
【００２９】
発光体３の正面部発光面３Ａは、反射面１７の最も奥側（反射面１１から最も離れた箇所）に存在する円（反射面１７を形成する円錐台側面の上面に相当する円）１７Ａの内側に入る外形で（たとえば小さい正方形状で）平面状に形成されている（図４参照）。
【００３０】
発光体３の側面部発光面３Ｂは、正面部発光面３Ａの外周から反射面１７の深さ（反射面１７を規定する円錐台の高さに相当する距離）よりも短い距離だけ、正面部発光面３Ａに対してほぼ直交する方向（図１等の前後方向）に起立している。
【００３１】
そして、正面部発光面３Ａが反射面１１と平行であると共に正面部発光面３Ａと側面部発光面３Ｂとが反射面１７の内側に入るようにして（より詳しくは、図６に示すように、反射面１７の内側に入り、かつ、側面部発光面３Ｂの先端部３Ｃが凹状の反射面１７の最も奥側に存在する円１７Ａとほぼ同一面内に存在するようにして）、各発光体３は、各反射面１７のそれぞれに設けられている。また、反射面１１に対して直交する方向から見たときに、正面部発光面３Ａが反射面１７の中央に位置するようにして、各発光体３は、各反射面１７のそれぞれに設けられている（図４参照）。
【００３２】
カバー部材５は、内径が反射面１１の幅寸法とほぼ等しい円筒状に形成されている。そして、反射面１１と反射面１３と反射面１５と協働して半円柱状（円柱をこの中心軸を含む平面で２等分した形状）の空間ＳＰが形成されるように、携帯型照明装置１の上下方向の中間部で筐体９に一体的に設けられている。カバー部材５が、半円筒状（円筒の中心軸を含む平面で２等分した形状）に形成されていてもよい。
【００３３】
なお、前述したように、母線Ｌが正面部発光面３Ａに対して僅かに傾くようにして（図５参照）カバー部材５が設けられているのであるが、この構成は、カバー部材５の中心軸に対して平面状の反射面１１や発光体３の正面部発光面３Ａを僅かに傾けて設置することにより実現されている。
【００３４】
ところで、携帯型照明装置１の筐体９には、発光体３が発光するための電気エネルギーを得るための太陽電池１９と、この太陽電池１９が得た電気エネルギーを蓄えるための二次電池（図示せず）が設けられている。なお、発光体３のオン・オフは、スイッチ２１を操作することによりなされる。そして、たとえば、４時間の充電で１０時間の使用（発光体３の１０時間の発光）が可能になっている。
【００３５】
また、筐体９の下部には永久磁石が設けられており、携帯型照明装置１を鉄板等の磁性体に設置することが容易になっている。また、携帯型照明装置１の筐体９の上部と下部の部位とで、カバー部材５の軸方向の両端部を塞いでいるので、カバー部材５の内側に外部と遮断された空間が形成されており、携帯型照明装置１が防滴構造になっている。
【００３６】
なお、発光体３として防虫効果を有するＬＥＤ素子を採用し、携帯型照明装置１に、過充電や過放電に対して二次電池を保護する保護回路を設け、発光体３に過電圧を印加させない保護回路を設け、外部電源による二次電池への充電端子を設け、また、携帯電話等に充電するための出力端子を設けてもよい。
【００３７】
次に、発光体３から出射された光の光路について説明する。
【００３８】
図７は、円錐台側面状の反射面１７のまわりおける光路を説明する図である。
【００３９】
発光体３の各発光面３Ａ、３Ｂから出射された光は、正面部発光面３Ａの前方に出射されるが、図７に示すように角度１２０°の範囲（半直線Ｌ１と半直線Ｌ２との間の範囲）に主として出射される。さらには、発光体３の正面部発光面３Ａから出射された光は、正面部発光面３Ａに対してほぼ直交する方向に、図７に示す範囲ＬＡにおいて特に強く出射される。発光体３の側面部発光面３Ｂから出射された光は、この強度は弱いが、折れ曲がった半直線Ｌ３、Ｌ４で示すように出射される。
【００４０】
前記１２０°の角度範囲で放射される光に対して、円錐台側面状の反射面１７の角度も約１２０°になっているので、１２０°の角度範囲で放射される光が、反射面１７で反射されることはなく、したがって反射による光の減衰を抑制することができる。一方、発光体３の側面部発光面３Ｂから出射された光が、円錐台側面状の反射面１７によって反射され、カバー部材５側（図７の上側）に向かうので、側面部発光面３Ｂから出射された光を効率良く、カバー部材５の外側に照射することができる。
【００４１】
図８は、発光体３の各発光面３Ａ、３Ｂから出射された光の光路を示す図である。
【００４２】
図８で示すように、図７に示す範囲ＬＡの光やこの範囲ＬＡに近い箇所の光は、球面状で凸状の各反射面１３、１５で反射されることなく、カバー部材５に直接向かう。一方、折れ曲がった各半直線Ｌ１、Ｌ２の光や折れ曲がった半直線Ｌ５の光は、反射面１３や反射面１５で反射されてカバー部材５に向かう。この場合、反射面１３や反射面１５は球面の一部を用いた凸状に形成されているので、各発光面３Ａ、３Ｂから出射され反射面１３や反射面１５で反射された光は、ほぼ平行になってカバー部材５に向かって進み（半直線Ｌ２やＬ５参照）、カバー部材５の外側に照射されるので、明るさにムラが発生することを抑制することができる。
【００４３】
図９は、カバー部材５のまわりのおける光路を説明する図である。
【００４４】
折れ曲がった半直線Ｌ７は、図７に示す範囲ＬＡの光の一部を示す図である。図９に示す角度ｉや角度ｒは、光Ｌ７の入射角（出射角）であり、前述したようにカバー部材５が僅かに斜めに傾いて設けられていることから、角度ｉは、約２°であり、角度ｒは、約０．４°になっている。
【００４５】
また、光Ｌ７の一部が、前述したように、線分Ｌ９で示すようにカバー部材５で反射され、この反射された光Ｌ９が平面状の反射面１１で反射され、この反射された光が、折れ曲がった半直線Ｌ１１で示すようにして、カバー部材５の外部に照射される。
【００４６】
次に、携帯型照明装置１に試験結果について説明する。
【００４７】
図１０は、上下方向から見たときにおける携帯型照明装置１の照度を示す図である。
【００４８】
図１０に示す各符号Ａ１、Ａ２、Ａ３、Ｂ１、Ｂ２、Ｂ３は照度計の設置位置を示す。この場合、携帯型照明装置１と照度計との距離は、約１ｍ離れている。
【００４９】
図１０（ａ）は、カバー部材が斜めに設置されておらず（円柱側面状のカバー部材５の表面の母線Ｌが、発光体３の正面部発光面３Ａに対して平行になっている）、各反射面１３、１５、１７を備えていない従来の携帯型照明装置における照度を示す図であり、図１０（ｂ）は、本実施形態に係る携帯型照明装置１の照度を示す図である。
【００５０】
図１０（ａ）では、中央の位置Ａ１における照度が１４０Ｌｘであるのに対して、両端部の位置Ａ２、Ａ３における照度が、４７Ｌｘ、５０Ｌｘになっており、周辺部における照度が極端に低下している。
【００５１】
一方、図１０（ｂ）では、各位置Ｂ１、Ｂ２、Ｂ３における照度が、１４０Ｌｘ、１３８Ｌｘ、１３８Ｌｘになっており、周辺部における照度の低下が抑制され、照度がほぼ均一になっている。
【００５２】
図１１、図１２は、円錐台状の反射面１７に対する発光体３の設置位置を変えた場合における携帯型照明装置の試験結果について説明する図である。
【００５３】
図１１は、円錐台状の反射面１７に対する発光体３の設置位置を変えた状態を示し、図１２は、電圧を変えた場合の照度を示している。なお、図１１の矢印は、光の出射方向を示しており、図１２に示す各グラフＧＡ、ＧＢ、ＧＣは、図１０に示す中央部（Ａ１やＢ１に位置）で測定した照度を示している。さらに、図１１（ａ）、（ｂ）、（ｃ）下方の括弧内の照度は、発光体３に３．７Ｖの電圧を印加したときにおける照度を示してある。
【００５４】
図１２に示すグラフＧＡは、本実施形態に係る携帯型照明装置（図１１（ａ）参照）１の試験結果を示している。図１２に示すグラフＧＢは、図１１（ｂ）で示す場合の試験結果を示している。図１２に示すグラフＧＣは、図１１（ｃ）で示す場合の試験結果を示している。
【００５５】
図１２に示す各グラフＧＡ、ＧＢ、ＧＣから理解されるように、反射面１７の内側に発光体３を設置した場合（図１１（ａ）の場合）が、照度が最も高くなっている。
【００５６】
図１３、図１４は、円錐台状の反射面１７を円柱側面状の反射面１８（１８Ａ、１８Ｂ）に変更し、反射面１８に対する発光体３の設置位置を変えた場合における携帯型照明装置の試験結果について説明する図である。
【００５７】
図１３は、小さな内径の反射面１８Ａに対する発光体３の設置位置を変えた状態を示し、図１４は、大きな内径の反射面１８Ｂに対する発光体３の設置位置を変えた状態を示している。なお、図１３、図１４における矢印は、光の出射方向を示している。図１３（ａ）、（ｂ）、（ｃ）、図１４（ａ）、（ｂ）、（ｃ）下方の括弧内には、照度を示してある。
【００５８】
図１１、図１３、図１４に示されている各照度（９つの照度）を参照するに、本実施形態に係る携帯型照明装置１のもの（図１１（ａ）で示すもの）の照度が最も高くなっている。
【００５９】
携帯型照明装置１によれば、発光体３の正面部発光面３Ａに対して、カバー部材５が僅かに斜めに傾いて設けられているので、発光体３から出射された光Ｌ７のうちでカバー部材５により反射された光Ｌ９が、発光体３のところには戻らない。そして、発光体３から出射した光Ｌ７のうちでカバー部材５で反射された光Ｌ９を、反射面１１によってカバー部材５に向けて反射するようになっているので（図９の説明を参照）、反射面１１によって反射された光Ｌ１１がカバー部材５の外側に出やすくなっており、発光体３から出射された光がカバー部材５で反射されカバー部材５の内部に留まる度合いが少なくなり、照度の低下が極力防止され、照度を従来のものよりも向上させることができる。
【００６０】
また、携帯型照明装置１によれば、各反射面１３、１５により、発光体３から出射された光をカバー部材５に向けて反射するようになっている。そして、各反射面１３、１５によって反射された光がカバー部材５の外側に出射されるので、照度を従来のものよりも一層向上させることができる。
【００６１】
また、携帯型照明装置１によれば、発光体３の側面部発光面３Ｂから出射された光を、反射面１７によってカバー部材５に向けて反射することができる（図９のＬ３、Ｌ４参照）。そして、反射面１７によって反射された光がカバー部材５の外側に出射されるので、照度を従来のものよりもさらに一層向上させることができる。
【００６２】
また、携帯型照明装置１によれば、カバー部材５を僅かに斜めに設置しさらに各反射面１１、１３、１５、１７を備えて発光体３が出射した光を反射するので、発光体３の各発光面３Ａ、３Ｂから出射された光が効率良くしかもほぼ均一にカバー部材５の外側に出てくるようになっている。したがって、複数のＬＥＤ素子をこれらの向きを変えて配置したりすることなく、もしくは、広範囲を照射することができる特殊なＬＥＤ素子を採用することなく、簡素な構成で広い範囲をムラなく照射することができる。
【００６３】
なお、カバー部材５として、平板状のものを採用してもよい。この場合、カバー部材の厚さ方向の各面が平面状の正面部発光面３Ａに対して平行になっている状態よりも僅かに斜めに傾いた状態で、カバー部材が筐体９に設けられていることが必要である。
【図面の簡単な説明】
【００６４】
【図１】本発明の実施形態に係る携帯型照明装置の概略構成を示す斜視図である。
【図２】図１におけるＩＩ−ＩＩ断面を示す図である。
【図３】図１におけるＩＩＩ−ＩＩＩ断面を示す図である。
【図４】図１におけるＩＶ矢視を示す図である。
【図５】図２におけるＶ部の拡大図である。
【図６】図５におけるＶＩ部の拡大図である。
【図７】円錐台側面状の反射面のまわりおける光路を説明する図である。
【図８】発光体の各発光面から出射された光の光路を示す図である。
【図９】カバー部材のまわりのおける光路を説明する図である。
【図１０】上下方向から見たときにおける携帯型照明装置の照度を示す図である。
【図１１】円錐台状の反射面に対する発光体の設置位置を変えた場合における携帯型照明装置の試験結果について説明する図である。
【図１２】円錐台状の反射面に対する発光体の設置位置を変えた場合における携帯型照明装置の試験結果について説明する図である。
【図１３】円錐台状の反射面を円柱側面状の反射面に変更し、この反射面に対する発光体の設置位置を変えた場合における携帯型照明装置の試験結果について説明する図である。
【図１４】円錐台状の反射面を円柱側面状の反射面に変更し、この反射面に対する発光体の設置位置を変えた場合における携帯型照明装置の試験結果について説明する図である。
【符号の説明】
【００６５】
１  携帯型照明装置
３  発光体
３Ａ  正面部発光面
３Ｂ  側面部発光面
５  カバー部材
５Ａ  凹面
７  カバー部材
９  筐体
１１、１３、１５、１７  反射面
【図１】
2008293739.tif 000003
【図２】
2008293739.tif 000004
【図３】
2008293739.tif 000005
【図４】
2008293739.tif 000006
【図５】
2008293739.tif 000007
【図６】
2008293739.tif 000008
【図７】
2008293739.tif 000009
【図８】
2008293739.tif 000010
【図９】
2008293739.tif 000011
【図１０】
2008293739.tif 000012
【図１１】
2008293739.tif 000013
【図１２】
2008293739.tif 000014
【図１３】
2008293739.tif 000015
【図１４】
2008293739.tif 000016